(57)【要約】      （修正有）【課題】飛行機や新幹線等の公共交通機関等で、大人の膝上で腕のみで支えられる乳幼児の不安定さや、乳幼児を直接膝上に座らせる大人の負担の軽減を軽減する乳幼児用腰かけ台を提供する。【解決手段】大人の膝上で乳幼児を座らせる腰かけ台の脚は大人の膝上をまたぎ、着席した大人の椅子の上に設置する。飛行機でも使用できる金属以外の素材で、且つ、ワンタッチで組み立てられる為と、コンパクトに収納できるように折りたたみ方式で椅子を製造する。その椅子と保護用ベルトを収納バックに収まる組み合わせで製造し、使用時はそれらを大人が組立て、着席後装着し、乳幼児を座らせて保護用ベルトで固定する。【選択図】図２
2019034711.tif 000002
【特許請求の範囲】
【請求項１】
着席した大人の椅子の上に膝上をまたいで設置し、且つ、乳幼児を座らせる構造を有する椅子の上設置用乳幼児用腰かけ台
【請求項２】
着席した大人の椅子の上に膝上をまたいで設置し、且つ、乳幼児を座らせる構造を有する椅子の上設置用乳幼児用腰かけ台と保護ベルトを合わせた形状、及び構造。
【請求項３】
着席した大人の椅子の上に膝上をまたいで設置し、且つ、乳幼児を座らせる構造を有する椅子の上設置用乳幼児用腰かけ台と保護用ベルトを収納したバックを組み合わせた形状、及び構造。
【発明の詳細な説明】
【技術分野】
【０００１】
本発明は、公共交通機関等で、椅子に座った大人の膝上に座る乳幼児用の腰かけ台と保護用ベルト、及び収納バックを組み合わせた形状、及び構造に関する。
【背景技術】
【０００２】
従来は、公共交通機関等で、乳幼児を大人の膝上に直接座らせ腕のみで抱いている為、乳幼児が不安定であり、また乳幼児を膝上で抱く大人の負担も大きい。
【発明の概要】
【発明が解決しようとする課題】
【０００３】
飛行機、新幹線、バス等の公共交通機関等で、大人の膝上で腕のみで支えられる乳幼児の不安定さや、乳幼児を直接膝上に座らせる大人の負担を軽減させて解決しようとする。
【課題を解決するための手段】
【０００４】
本発明の、大人の膝上で乳幼児を座らせる腰かけ台の脚は大人の膝上をまたぎ、着席した大人の椅子の上に設置する。
飛行機でも使用できる金属以外の素材で、且つ、コンパクトに収納できる目的と、ワンタッチで組み立てられる目的のために、腰かけ台の脚の部分が内側に折りたたまれた構造であることが望ましい。折たたまれた脚部を開くことで乳幼児用腰かけ台となる。乳幼児用腰かけ台の幅は大人が着席した状態の両太ももをまたいで大人の椅子の上に置くことができる構造で、収納バックはめくり上げて、乳幼児用腰かけ台の上に広げクッションとして使用する。乳幼児用腰かけ台と保護用ベルトは一部を取り外し式で固定して収納バックに収まる組み合わせとして製造する。
使用時は大人が着席後、図４が示すように乳幼児用腰かけ台の折りたたまれた左右の脚をワンタッチで開いて大人の太ももの外側をまたいで大人の椅子の上に置き、保護用ベルトのバックルを外した状態で乳幼児を台に腰かけさせて、着席した大人が保護用ベルトの背部を装着し、乳幼児の股部から保護用ベルトの腹部を乳幼児の腹に当てて、保護用ベルトの背部と腹部をバックルで固定して、大人と乳幼児を固定する。
【発明の効果】
【０００５】
(1)乳幼児が安定するため危険が減る。
(2)乳幼児を座らせる大人の膝上への負担が軽減する。
(3)隣席の方への迷惑が軽減する。
(4)乳幼児への眠りを促す。
(5)総合的な公共交通機関の利便性が向上する。
【図面の簡単な説明】
【０００６】
【図１】保護用ベルト付き乳幼児用腰かけ台と、腰かけ台の上に収納バックがクッションとして広げられている本発明品の使用時の状態
【図２】大人の椅子の上に乳幼児用腰かけ台を開いて置き、保護用ベルトを装着して乳幼児を座らせた状態
【図３】乳幼児用腰かけ台の左右の脚を開いて、収納バッグをめくり上げて腰かけ台の上にクッションとなるよに広げている乳幼児用腰かけ台
【図４】収納バックを開き、収納バックをクッションとなるよう台に広げつつ、折りたたまれた脚を広げる様子を示した図で、収納している乳幼児用保護用ベルトが乳幼児用腰かけ台の下から見えている状態
【図５】乳幼児用腰かけ台の折りたたまれた脚部分を閉じ下から見た状態
【図６】乳幼児用保護用ベルト部分
【図７】乳幼児用保護用ベルト付き乳幼児用腰かけ台の収納時の状態
【発明を実施するための形態】
【０００７】
本発明を図１〜図７に従って説明すると、
本発明品は最初に図４に示したように、図３の乳幼児用腰かけ台と図６の保護用ベルトが一体となり図７の収納バックに入っている。収納バックを開き、図４の6のように、図５のように折りたたまれている乳幼児用腰かけ台の左右の脚部を図３のように広げて固定し、乳幼児用腰かけ台を組み立てる。
図４の４のように収納バック部分を開いてめくり上げ、図３が示すように、乳幼児用腰かけ台の上にクッションとなるように広げる。図４の7のように、乳幼児用腰かけ台の下に折りたたまれて収納されている保護用ベルトを広げると、図１が示すような本発明品となる。図２が示すように、保護者が椅子に着席した後、前述の乳幼児用腰かけ台の左右の脚部は保護者の太ももの外側を通って保護者の椅子の上に置き、乳幼児用腰かけ台と乳幼児の股部で固定された保護用ベルトのバックルを外した状態で乳幼児を腰かけ台に座らせて、着席した大人が保護用ベルトの図１の1が示す背部を左右の肩と腰を通して装着し、乳幼児の股部から保護用ベルトの腹部を乳幼児の腹に当てて、保護用ベルトの背部と腹部を図１の２のバックルで固定して使用する。
【産業上の利用可能性】
【０００８】
飛行機、新幹線、バス等の公共交通機関等で乳幼児を膝上に座らせる人への貸し出し、又は販売によって、飛行機、新幹線、バス等の公共交通機関の利便性を向上させる。
【符号の説明】
【０００９】
１            乳幼児用保護用ベルトの背部と腹部がバックルで一体となった乳幼児用保護用ベルト
２            ワンタッチ型のプラスチックバックル部分
３            クッション性がある収納バックを全開して広げ、座面の上に重ねている乳幼児用腰かけ台
４            収納バックを乳幼児用腰かけ台の上にクッションとなるようにめくり上げている様子
５            乳幼児用腰かけ台の脚を広げて立てて固定した状態
６            乳幼児用腰かけ台の脚を広げている途中の状態
７            乳幼児用腰かけ台の下に収納している乳幼児用保護用ベルト部分
８            乳幼児用腰かけ台の脚を閉じ下から見た状態
９             乳幼児用保護用ベルトの背部と腹部がバックルで結合した状態
10            乳幼児用保護用ベルトと乳幼児用腰かけ台をバックに収納した状態
【図１】
2019034711.tif 000003
【図２】
2019034711.tif 000004
【図３】
2019034711.tif 000005
【図４】
2019034711.tif 000006
【図５】
2019034711.tif 000007
【図６】
2019034711.tif 000008
【図７】
2019034711.tif 000009
【手続補正書】
【提出日】平成30年1月31日(2018.1.31)
【手続補正１】
【補正対象書類名】特許請求の範囲
【補正対象項目名】全文
【補正方法】変更
【補正の内容】
【特許請求の範囲】
【請求項１】
飛行機等の公共交通機関の椅子に着席した保護者の椅子の座面上に設置して使用する目的の乳幼児が腰掛けることのできる脚部と台部を有する構造の乳幼児用腰掛け台で、脚部は保護者が着席した椅子の座面に接地され、台部に乳幼児を腰掛けさせるが、台部と脚部は、前述保護者の両太股の外側を通ってまたぐ構造で、未使用時は脚部その物は折りたたむか又は脱着する事が可能な構造を有する乳幼児用腰掛け台。
【請求項２】
請求項１記載の乳幼児用腰掛け台と乳幼児用保護ベルトが一体になった構造の乳幼児用保護ベルト付き乳幼児用腰掛け台で、乳幼児用保護ベルトは、乳幼児の股部分で腰掛け台と保護ベルトが一体になっており、前述保護者の背部から乳幼児の腹部までをベルトで包み込み、保護ベルトはバックル等によって取り付け、取り外しが可能な構造で、前述保護者と乳幼児を安全に固定することを特徴とする乳幼児用保護ベルト付き乳幼児用腰掛け台。
【請求項３】
収納バックを付帯することを特徴とする請求項1及び請求項2記載の乳幼児用腰掛け台で、乳幼児用腰掛け台や乳幼児用保護ベルトを収納したり乳幼児用のクッションとして使用する機能の構造を有する。
【手続補正２】
【補正対象書類名】明細書
【補正対象項目名】全文
【補正方法】変更
【補正の内容】
【発明の詳細な説明】
【技術分野】
【０００１】
本発明は、飛行機等の公共交通機関で椅子に座った保護者の膝上で抱かれた乳幼児用の腰掛け台と保護用ベルト及び収納バックを組み合わせた形状、及び構造に関する。
【背景技術】
【０００２】
自動車ではチャイルドシードなどでの乳幼児の危険防止対策の物があるが、飛行機等の公共交通機関では、保護者の膝上で抱かれた乳幼児は保護者の腕のみで抱いているのみで、自動車で用いているチャイルドシードのような物が無い。そのため、乳幼児が不安定で危険であり、また乳幼児を膝上で長時間抱く保護者の負担も大きい。
【発明の概要】
【発明が解決しようとする課題】
【０００３】
飛行機等の公共交通機関で、保護者の膝上で腕のみで支えられている乳幼児の不安定さや危険性を減らし、乳幼児を直接膝上に座らせる保護者のひざ上の負担を軽減させて解決し、自動車で用いているチャイルドシードのような物を目的とする。
【課題を解決するための手段】
【０００４】
本発明の、保護ベルト付き乳幼児用腰掛け台を、着席した保護者の椅子の上に設置し、乳幼児用腰掛け台の台部に乳幼児を腰掛させ、保護ベルトで保護者と乳幼児を固定することで、乳幼児が安定し保護者のひざ上の負担を軽減させることが出来る。収納バックはめくり上げて、乳幼児用腰掛け台の上に広げ乳幼児の尻の下に敷くクッションとして使用する。乳幼児用腰掛け台と保護用ベルトは収納バックに収まる構造で製造する。
又、飛行機でも使用できるように金属以外の素材が望ましく、且つ、外出先で使用するためでコンパクト収納と、ワンタッチ組み立ての目的のために、腰かけ台の脚部は折りたたまれる構造か脱着可能な構造であることが望ましい。乳幼児用腰掛け台は、保護者の座る椅子の座面幅を超えないために、２層になった台部を左右方向に広げたり狭めたりして幅を調節することが可能な構造か、又は脚部の角度を変えられる構造で接置位置を変えられることが望ましい。
【発明の効果】
【０００５】
(1)乳幼児が安定するため危険が減る。
(2)乳幼児を座らせる保護者の膝上への負担が軽減する。
(3)隣席の方への迷惑が軽減する。
(4)乳幼児への眠りを促す。
(5)総合的な公共交通機関の利便性が向上する。
【図面の簡単な説明】
【０００６】
【図１】保護用ベルト付き乳幼児用腰掛け台と、その腰かけ台の上に収納バックがクッションとして広げられている本発明品の使用時の状態
【図２】保護者の椅子の上に乳幼児用腰掛け台設置し、保護用ベルトを装着して乳幼児を座らせた状態
【図３】乳幼児用腰掛け台の左右の脚を開いて、収納バッグをめくり上げて腰かけ台の上にクッションとなるように広げている乳幼児用腰掛け台
【図４】収納バックを開き、収納バックをクッションとなるよう台に広げつつ、折りたたまれた脚を広げる様子を示した図で、収納している乳幼児用保護用ベルトが乳幼児用腰掛け台の下から見えている状態
【図５】乳幼児用腰掛け台の折りたたまれた脚部分を閉じ下から見た状態
【図６】乳幼児用保護用ベルト部分
【図７】乳幼児用保護用ベルト付き乳幼児用腰掛け台の収納時の状態
【発明を実施するための形態】
【０００７】
本発明を図１〜図７に従って説明すると、
本発明品は、図３の乳幼児用腰掛け台と図６の保護用ベルトが一体となり図７の収納バックに入っている。図４に示したようにそれらはコンパクトに折りたたまれている。
収納バックを開き、図４又は図５のように折りたたまれている乳幼児用腰掛け台の左右の脚部を、図３の５のように広げて固定し、乳幼児用腰掛け台を組み立てる。
図４の４のように収納バック部分を開いてめくり上げ、図３の３のように、乳幼児用腰掛け台の上にクッションとなるように広げる。図４の7のように、乳幼児用腰掛け台の下に折りたたまれて収納されている保護用ベルトを広げると、図１が示すような本発明品となる。図２が示すように、保護者が椅子に着席した後、前述の乳幼児用腰掛け台の左右の脚部を保護者の太ももの外側を通って保護者の椅子の上に置き、保護用ベルトのバックルを外した状態で、乳幼児を腰かけ台に座らせて、着席した保護者が保護用ベルトの図１の1が示す背部を左右の肩と腰を通して装着し、乳幼児の股部から保護用ベルトの腹部を乳幼児の腹に当てて、保護用ベルトの背部と腹部を図１の２のバックルで固定して使用する。
【産業上の利用可能性】
【０００８】
飛行機等の公共交通機関で乳幼児を膝上に座らせる人への貸し出し、又は販売によって、飛行機等の公共交通機関の利便性を向上させる。
【符号の説明】
【０００９】
１        乳幼児用保護用ベルトの背部と腹部がバックルで一体となった乳幼児用保護用ベルト
２        ワンタッチ型のプラスチックバックル部分
３        クッション性がある収納バックを全開して広げ、座面の上に重ねている乳幼児用腰掛け台
４        収納バックを乳幼児用腰掛け台の上にクッションとなるようにめくり上げている様子
５        乳幼児用腰掛け台の脚を広げて立てて固定した状態
６        乳幼児用腰掛け台の脚を広げている途中の状態
７        乳幼児用腰掛け台の下に収納している乳幼児用保護用ベルト部分
８        乳幼児用腰掛け台の脚を閉じ下から見た状態
９        乳幼児用保護用ベルトの背部と腹部がバックルで結合した状態
10       乳幼児用保護用ベルトと乳幼児用腰掛け台をバックに収納した状態
【手続補正書】
【提出日】平成30年1月31日(2018.1.31)
【手続補正１】
【補正対象書類名】特許請求の範囲
【補正対象項目名】全文
【補正方法】変更
【補正の内容】
【特許請求の範囲】
【請求項１】
飛行機等の公共交通機関の椅子に着席した保護者の椅子の座面上に設置して使用する乳幼児が腰掛けることのできる脚部と台部を有する構造の乳幼児用腰掛け台で、脚部は保護者が着席した椅子の座面に接地され、台部に乳幼児を腰掛けさせるが、台部と脚部は、前述保護者の両太股の外側を通ってまたぐ構造で、未使用時は脚部その物は折りたたむか又は脱着する事が可能な構造を有する乳幼児用腰掛け台。
【請求項２】
請求項１記載の乳幼児用腰掛け台と乳幼児用保護ベルトが一体になった構造の乳幼児用保護ベルト付き乳幼児用腰掛け台で、乳幼児用保護ベルトは、乳幼児の股部分で腰掛け台と保護ベルトが一体になっており、前述保護者の背部から乳幼児の腹部までをベルトで包み込み、保護ベルトはバックル等によって取り付け、取り外しが可能な構造で、前述保護者と乳幼児を安全に固定することを特徴とする乳幼児用保護ベルト付き乳幼児用腰掛け台。
【請求項３】
収納バックを付帯することを特徴とする請求項1及び請求項2記載の乳幼児用腰掛け台で、乳幼児用腰掛け台や乳幼児用保護ベルトを収納したり乳幼児用のクッションとして使用する機能の構造を有する。
【手続補正２】
【補正対象書類名】明細書
【補正対象項目名】全文
【補正方法】変更
【補正の内容】
【発明の詳細な説明】
【技術分野】
【０００１】
飛行機等の公共交通機関では、自動車で用いている乳幼児用のチャイルドシードのような物が無い。本発明は、飛行機等の公共交通機関で、椅子に座った保護者の膝上で抱かれた乳幼児用の腰掛け台と保護用ベルト及び収納バックを組み合わせた形状、及び構造に関する。
【背景技術】
【０００２】
自動車ではチャイルドシードなどでの乳幼児の危険防止対策の物があるが、飛行機等の公共交通機関では、保護者の膝上で抱かれた乳幼児は保護者の腕のみで抱いているのみで、自動車で用いているチャイルドシードのような物が無い。そのため、乳幼児が不安定で危険であり、また乳幼児を膝上で長時間抱く保護者の負担も大きい。
【発明の概要】
【発明が解決しようとする課題】
【０００３】
飛行機等の公共交通機関で、保護者の膝上で腕のみで支えられている乳幼児の不安定さや危険性を減らし、乳幼児を直接膝上に座らせる保護者のひざ上の負担を軽減させて解決し、自動車で用いているチャイルドシードのような物を目的とする。
【課題を解決するための手段】
【０００４】
本発明の、保護ベルト付き乳幼児用腰掛け台を、着席した保護者の椅子の上に設置し、乳幼児用腰掛け台の台部に乳幼児を腰掛させ、保護ベルトで保護者と乳幼児を固定することで、乳幼児が安定し保護者のひざ上の負担を軽減させることが出来る。収納バックはめくり上げて、乳幼児用腰掛け台の上に広げ乳幼児の尻の下に敷くクッションとして使用する。乳幼児用腰掛け台と保護用ベルトは収納バックに収まる構造で製造する。
又、飛行機でも使用できるように金属以外の素材が望ましく、且つ、外出先で使用するためでコンパクト収納と、ワンタッチ組み立ての目的のために、腰かけ台の脚部は折りたたまれる構造か脱着可能な構造であることが望ましい。乳幼児用腰掛け台は、保護者の座る椅子の座面幅を超えないために、２層になった台部を左右方向に広げたり狭めたりして幅を調節することが可能な構造か、又は脚部の角度を変えられる構造で接置位置を変えられることが望ましい。
【発明の効果】
【０００５】
(1)乳幼児が安定するため危険が減る。
(2)乳幼児を座らせる保護者の膝上への負担が軽減する。
(3)隣席の方への迷惑が軽減する。
(4)乳幼児への眠りを促す。
(5)総合的な公共交通機関の利便性が向上する。
【図面の簡単な説明】
【０００６】
【図１】保護用ベルト付き乳幼児用腰掛け台と、その腰かけ台の上に収納バックがクッションとして広げられている本発明品の使用時の状態
【図２】保護者の椅子の上に乳幼児用腰掛け台設置し、保護用ベルトを装着して乳幼児を座らせた状態
【図３】乳幼児用腰掛け台の左右の脚を開いて、収納バッグをめくり上げて腰かけ台の上にクッションとなるように広げている乳幼児用腰掛け台
【図４】収納バックを開き、収納バックをクッションとなるよう台に広げつつ、折りたたまれた脚を広げる様子を示した図で、収納している乳幼児用保護用ベルトが乳幼児用腰掛け台の下から見えている状態
【図５】乳幼児用腰掛け台の折りたたまれた脚部分を閉じ下から見た状態
【図６】乳幼児用保護用ベルト部分
【図７】乳幼児用保護用ベルト付き乳幼児用腰掛け台の収納時の状態
【発明を実施するための形態】
【０００７】
本発明を図１〜図７に従って説明すると、
本発明品は、図３の乳幼児用腰掛け台と図６の保護用ベルトが一体となり図７の収納バックに入っている。図４に示したようにそれらはコンパクトに折りたたまれている。
収納バックを開き、図４又は図５のように折りたたまれている乳幼児用腰掛け台の左右の脚部を、図３の５のように広げて固定し、乳幼児用腰掛け台を組み立てる。
図４の４のように収納バック部分を開いてめくり上げ、図３の３のように、乳幼児用腰掛け台の上にクッションとなるように広げる。図４の7のように、乳幼児用腰掛け台の下に折りたたまれて収納されている保護用ベルトを広げると、図１が示すような本発明品となる。図２が示すように、保護者が椅子に着席した後、前述の乳幼児用腰掛け台の左右の脚部を保護者の太ももの外側を通って保護者の椅子の上に置き、保護用ベルトのバックルを外した状態で、乳幼児を腰かけ台に座らせて、着席した保護者が保護用ベルトの図１の1が示す背部を左右の肩と腰を通して装着し、乳幼児の股部から保護用ベルトの腹部を乳幼児の腹に当てて、保護用ベルトの背部と腹部を図１の２のバックルで固定して使用する。
【産業上の利用可能性】
【０００８】
飛行機等の公共交通機関で乳幼児を膝上に座らせる人への貸し出し、又は販売によって、飛行機等の公共交通機関の利便性を向上させる。
【符号の説明】
【０００９】
１        乳幼児用保護用ベルトの背部と腹部がバックルで一体となった乳幼児用保護用ベルト
２        ワンタッチ型のプラスチックバックル部分
３        クッション性がある収納バックを全開して広げ、座面の上に重ねている乳幼児用腰掛け台
４        収納バックを乳幼児用腰掛け台の上にクッションとなるようにめくり上げている様子
５        乳幼児用腰掛け台の脚を広げて立てて固定した状態
６        乳幼児用腰掛け台の脚を広げている途中の状態
７        乳幼児用腰掛け台の下に収納している乳幼児用保護用ベルト部分
８        乳幼児用腰掛け台の脚を閉じ下から見た状態
９        乳幼児用保護用ベルトの背部と腹部がバックルで結合した状態
10       乳幼児用保護用ベルトと乳幼児用腰掛け台をバックに収納した状態
【手続補正書】
【提出日】平成30年3月12日(2018.3.12)
【手続補正１】
【補正対象書類名】明細書
【補正対象項目名】０００６
【補正方法】変更
【補正の内容】
【０００６】
【図１】保護用ベルト付き乳幼児用腰掛け台と、その腰かけ台の上に収納バックがクッションとして広げられている本発明品の使用時の状態
【図２】保護者の椅子の上に乳幼児用腰掛け台設置し、保護用ベルトを装着して乳幼児を座らせた状態
【図３】乳幼児用腰掛け台の左右の脚を開いて、収納バッグをめくり上げて腰かけ台の上にクッションとなるように広げている乳幼児用腰掛け台
【図４】収納バックを開き、収納バックをクッションとなるよう台に広げつつ、折りたたまれた脚を広げる様子を示した図で、収納している乳幼児用保護用ベルトが乳幼児用腰掛け台の下から見えている状態
【図５】乳幼児用腰掛け台の折りたたまれた脚部分を閉じ下から見た状態
【図６】乳幼児用保護用ベルト部分
【図７】乳幼児用保護用ベルト付き乳幼児用腰掛け台の収納時の状態
【図８】乳幼児用保護用ベルト付き乳幼児用腰掛け台の保護用ベルトは使用せず、乳幼児用腰掛け台のみを使用して乳幼児を座らせた状態
【手続補正２】
【補正対象書類名】明細書
【補正対象項目名】０００７
【補正方法】変更
【補正の内容】
【０００７】
本発明を図１〜図8に従って説明すると、
本発明品は、図３の乳幼児用腰掛け台と図６の保護用ベルトが一体となり図７の収納バックに入っている。図４に示したようにそれらはコンパクトに折りたたまれている。
収納バックを開き、図４又は図５のように折りたたまれている乳幼児用腰掛け台の左右の脚部を、図３の５のように広げて固定し、乳幼児用腰掛け台を組み立てる。
図４の４のように収納バック部分を開いてめくり上げ、図３の３のように、乳幼児用腰掛け台の上にクッションとなるように広げる。図４の7のように、乳幼児用腰掛け台の下に折りたたまれて収納されている保護用ベルトを広げると、図１が示すような本発明品となる。図２が示すように、保護者が椅子に着席した後、前述の乳幼児用腰掛け台の左右の脚部を保護者の太ももの外側を通って保護者の椅子の上に置き、保護用ベルトのバックルを外した状態で、乳幼児を腰かけ台に座らせて、着席した保護者が保護用ベルトの図１の1が示す背部を左右の肩と腰を通して装着し、乳幼児の股部から保護用ベルトの腹部を乳幼児の腹に当てて、保護用ベルトの背部と腹部を図１の２のバックルで固定して使用する。
又、乳幼児用腰掛け台は図８のように保護用ベルトは使用せず、掛け台のみで使用する利用形態もあり、保護者の膝上の負担を軽減することが出来て有効である。
【手続補正３】
【補正対象書類名】図面
【補正対象項目名】図８
【補正方法】追加
【補正の内容】
【図８】
2019034711.tif 000010
【手続補正書】
【提出日】平成30年6月12日(2018.6.12)
【手続補正１】
【補正対象書類名】特許請求の範囲
【補正対象項目名】全文
【補正方法】変更
【補正の内容】
【特許請求の範囲】
【請求項１】
飛行機等の公共交通機関の椅子に着席した保護者の椅子の座面上に設置して使用する乳幼児が腰掛けることのできる脚部と台部を有する構造の乳幼児用腰掛け台と乳幼児用保護ベルトが一体になった構造の乳幼児用保護ベルト付き乳幼児用腰掛け台で、乳幼児用腰掛け台は、使用時は脚部は保護者が着席した椅子の座面に接地され、台部に乳幼児を腰掛けさせるが、台部と脚部は、前述保護者の両太股の外側を通ってまたぐ構造で、未使用時は脚部その物は折りたたむ構造を有し、乳幼児用保護ベルトは、乳幼児の股部分で腰掛け台と保護ベルトが一体になっており、前述保護者の背部から乳幼児の腹部までをベルトで包み込み、保護ベルトはバックル等によって取り付け、取り外しが可能な構造で、前述保護者と乳幼児を安全に固定することを特徴とする乳幼児用保護ベルト付き乳幼児用腰掛け台。
【請求項２】
収納バックを付帯することを特徴とする請求項1記載の乳幼児用腰掛け台で、乳幼児用腰掛け台や乳幼児用保護ベルトを収納したり乳幼児用のクッションとして使用する機能の構造を有する。
【手続補正２】
【補正対象書類名】明細書
【補正対象項目名】全文
【補正方法】変更
【補正の内容】
【発明の詳細な説明】
【技術分野】
【０００１】
飛行機等の公共交通機関では、自動車で用いている乳幼児用のチャイルドシードのような物が無い。本発明は、飛行機等の公共交通機関で、椅子に座った保護者の膝上で抱かれた乳幼児用の腰掛け台と保護用ベルト及び収納バックを組み合わせた形状、及び構造に関する。
【背景技術】
【０００２】
自動車ではチャイルドシードなどでの乳幼児の危険防止対策の物があるが、飛行機等の公共交通機関では、保護者の膝上で抱かれた乳幼児は保護者の腕のみで抱いているのみで、自動車で用いているチャイルドシードのような物が無い。そのため、乳幼児が不安定で危険であり、また乳幼児を膝上で長時間抱く保護者の負担も大きい。
【発明の概要】
【発明が解決しようとする課題】
【０００３】
飛行機等の公共交通機関で、保護者の膝上で腕のみで支えられている乳幼児の不安定さや危険性を減らし、乳幼児を直接膝上に座らせる保護者のひざ上の負担を軽減させて解決し、自動車で用いているチャイルドシードのような物を目的とする。
【課題を解決するための手段】
【０００４】
本発明の、保護ベルト付き乳幼児用腰掛け台を、着席した保護者の椅子の上に設置し、乳幼児用腰掛け台の台部に乳幼児を腰掛させ、保護ベルトで保護者と乳幼児を固定することで、乳幼児が安定し保護者のひざ上の負担を軽減させることが出来る。収納バックはめくり上げて、乳幼児用腰掛け台の上に広げ乳幼児の尻の下に敷くクッションとして使用する。乳幼児用腰掛け台と保護用ベルトは収納バックに収まる構造で製造する。
又、飛行機でも使用できるように金属以外の素材が望ましく、且つ、外出先で使用するためでコンパクト収納と、ワンタッチ組み立ての目的のために、腰かけ台の脚部は折りたたまれる構造であることが望ましい。
【発明の効果】
【０００５】
(1)乳幼児が安定するため危険が減る。
(2)乳幼児を座らせる保護者の膝上への負担が軽減する。
(3)隣席の方への迷惑が軽減する。
(4)乳幼児への眠りを促す。
(5)総合的な公共交通機関の利便性が向上する。
【図面の簡単な説明】
【０００６】
【図１】保護用ベルト付き乳幼児用腰掛け台と、その腰かけ台の上に収納バックがクッションとして広げられている本発明品の使用時の状態
【図２】保護者の椅子の上に乳幼児用腰掛け台設置し、保護用ベルトを装着して乳幼児を座らせた状態
【図３】乳幼児用腰掛け台の左右の脚を開いて、収納バッグをめくり上げて腰かけ台の上にクッションとなるように広げている乳幼児用腰掛け台
【図４】収納バックを開き、収納バックをクッションとなるよう台に広げつつ、折りたたまれた脚を広げる様子を示した図で、収納している乳幼児用保護用ベルトが乳幼児用腰掛け台の下から見えている状態
【図５】乳幼児用腰掛け台の折りたたまれた脚部分を閉じ下から見た状態
【図６】乳幼児用保護用ベルト部分
【図７】乳幼児用保護用ベルト付き乳幼児用腰掛け台の収納時の状態
【発明を実施するための形態】
【０００７】
本発明を図１〜図7に従って説明すると、
本発明品は、図３の乳幼児用腰掛け台と図６の保護用ベルトが一体となり図７の収納バックに入っている。図４に示したようにそれらはコンパクトに折りたたまれている。
収納バックを開き、図４又は図５のように折りたたまれている乳幼児用腰掛け台の左右の脚部を、図３の５のように広げて固定し、乳幼児用腰掛け台を組み立てる。
図４の４のように収納バック部分を開いてめくり上げ、図３の３のように、乳幼児用腰掛け台の上にクッションとなるように広げる。図４の7のように、乳幼児用腰掛け台の下に折りたたまれて収納されている保護用ベルトを広げると、図１が示すような本発明品となる。図２が示すように、保護者が椅子に着席した後、前述の乳幼児用腰掛け台の左右の脚部を保護者の太ももの外側を通って保護者の椅子の上に置き、保護用ベルトのバックルを外した状態で、乳幼児を腰かけ台に座らせて、着席した保護者が保護用ベルトの図１の1が示す背部を左右の肩と腰を通して装着し、乳幼児の股部から保護用ベルトの腹部を乳幼児の腹に当てて、保護用ベルトの背部と腹部を図１の２のバックルで固定して使用する。
【産業上の利用可能性】
【０００８】
飛行機等の公共交通機関で乳幼児を膝上に座らせる人への貸し出し、又は販売によって、飛行機等の公共交通機関の利便性を向上させる。
【符号の説明】
【０００９】
１        乳幼児用保護用ベルトの背部と腹部がバックルで一体となった乳幼児用保護用ベルト
２        ワンタッチ型のプラスチックバックル部分
３        クッション性がある収納バックを全開して広げ、座面の上に重ねている乳幼児用腰掛け台
４        収納バックを乳幼児用腰掛け台の上にクッションとなるようにめくり上げている様子
５        乳幼児用腰掛け台の脚を広げて立てて固定した状態
６        乳幼児用腰掛け台の脚を広げている途中の状態
７        乳幼児用腰掛け台の下に収納している乳幼児用保護用ベルト部分
８        乳幼児用腰掛け台の脚を閉じ下から見た状態
９        乳幼児用保護用ベルトの背部と腹部がバックルで結合した状態
10       乳幼児用保護用ベルトと乳幼児用腰掛け台をバックに収納した状態
【手続補正３】
【補正対象書類名】図面
【補正対象項目名】図８
【補正方法】削除
【補正の内容】